(57)【要約】【課題】従来の発光ダイオードを光源とした作業灯においては、発光ダイオードの光は指向性が高く高照度であるため、透明のケースを使用した場合に作業者の視界に光線が入ると残像を引き起こし、作業続行がしばらくの間困難になるという問題があった。【解決手段】光源として発光ダイオード３を用いた作業用ライト８において、光透過率を５５％〜６５％の範囲に調整したケース１を使用し、駆動回路７で照度を三段階に調整できるようにして、作業者の目に残像が残り難くした。【選択図】図１
2012043761.tif 000002
【特許請求の範囲】
【請求項１】
複数個の発光ダイオードと該発光ダイオードの照度を調整する駆動回路とを透明性を有するケース内に収納し、該ケースの一端に持ち手を取り付けたことを特徴とする作業用ライト。
【請求項２】
前記透明性を有するケースは、光透過率が５５％〜６５％の範囲内にあるポリカーボネートであることを特徴とする請求項１記載の作業用ライト。
【請求項３】
前記駆動回路による前記複数個の発光ダイオードの照度は三段階で調整できるようにしたことを特徴とする請求項１または請求項２に記載の作業用ライト。
【発明の詳細な説明】
【技術分野】
【０００１】本発明は照明を必要とする夜間あるいは昼間でも暗く入り組んだ場所や狭い場所などにおいて、容易に持ち運びができ、使用できる作業用ライトに関するものである。
【背景技術】
【０００２】従来、「ハンドランプ」と称する可搬式の作業用灯具は光源として白熱電球を用いていたが、蛍光灯と比べ寿命が短い点や明るさが劣る点などから、近年では光源として蛍光灯が用いられるようになってきた（例えば、特許文献１および特許文献２参照）。【０００３】更に最近では、入り組んだ場所や狭い場所でも都合よく使用できるように本体を小型化できる発光ダイオードを光源とした作業灯も普及してきた（例えば、特許文献３参照）。
【先行技術文献】
【特許文献】
【０００４】
【特許文献１】実用新案登録第３０２４１００号
【特許文献２】特許第３１５９３８２号
【特許文献３】実用新案登録第３０８４２７２号
【発明の概要】
【発明が解決しようとする課題】
【０００５】しかし、最近普及してきた発光ダイオードを光源とした作業灯においては、ケースを透明にしている物が多く、例えば上述の特許文献３では透明（ガラス）もしくは透明に近い（合成樹脂）ケースを使用しており、このような場合発光ダイオードは光の指向性が高く高照度であるため光線が視界に入ると作業者の目に残像（光源から目をそらしても光源の形状が視覚に残り対象物と重なって見えてしまい、対象物が見え難くなること）を引き起こし、作業続行がしばらくの間困難になるという問題があった。
本発明は、このような問題を解決しようとするものであり、ケースの光透過率を調整することで発光ダイオードの光線がケースを透過する割合を減少させ、且つ、発光ダイオードの照度を調整できるようにすることで、作業者の目に残像が残り難くした作業用ライトを提供することを目的とするものである。
【課題を解決するための手段】
【０００６】本発明は上記目的を達成するためにケースは光透過率を５５％〜６５％の範囲内に調整したものを用い、且つ、発光ダイオードの照度（明るさ）は駆動回路を用いて最小出力・中間出力・最大出力の三段階に調整できるようにして、作業者の目に残像が残り難い作業用ライトを実現した。
【発明の効果】
【０００７】本発明の作業用ライトは、光透過率を５５％〜６５％の範囲内に調整したケースを使用し、発光ダイオードの照度を三段階に調整できるようにしたことで、作業者の目に残像が残り難くなり作業続行が可能になる。
【図面の簡単な説明】
【０００８】
【図１】本発明の実施形態を示す作業用ライトの側面断面図
【図２】本発明の実施形態を示す作業用ライトの正面断面図
【図３】本発明の残像認識時間の測定方法を示す図
【図４】本発明の明るさの強弱の比較方法を示す図
【発明を実施するための形態】
【０００９】以下本発明の実施形態を、図１と図２を用いて説明する。
複数個の発光ダイオード３と駆動回路７やスイッチ６を１枚のプリント基板２に実装（実装とはプリント基板に電子部品を半田付けにより接続、固定した状態）し両端開口で円筒状のケース１内に収納し、そのケース１の一端をキャップ１８で塞ぎ、他端には持ち手４をはめ込み、電源供給ケーブル５を持ち手４の一端に空けた孔からケース１内に挿入して駆動回路７に接続し複数個の発光ダイオード３が点灯するようにした。
【００１０】駆動回路７は、マイクロコントローラ（制御用集積回路）、コンデンサ、チップ抵抗器などの電子部品で構成され、交流電源を直流電源に変換する整流回路と照度調整回路からなり、照度調整回路による照度調整方法は、複数個の発光ダイオード３に加える電圧をそれぞれ最大出力で１８．５Ｖ、中間出力で１５．２Ｖ、最小出力で１３．０Ｖになるようにした３つの回路に切り替えることにより、三段階で照度を調整できるようにしたものである。
【００１１】スイッチ６はモメンタリー方式を使い、駆動回路７に実装されたスイッチ６を押す（ここでの「押す」とはスイッチ６を「押して離す」の一連動作をいう）と複数個の発光ダイオード３が点灯もしくは消灯するように構成されている。消灯の状態からスイッチ６を一度押すと複数個の発光ダイオード３が最大出力（第一段階）の照度で点灯し、消灯の状態から二度スイッチ６を押すと複数個の発光ダイオード３が中間出力（第二段階）の照度で点灯する。また消灯の状態から三度スイッチ６を押すと複数個の発光ダイオード３が最小出力（第三段階）の照度で点灯し、そこで更にスイッチ６を一度押すと複数個の発光ダイオード３が最大出力の照度で点灯する状態に戻る。なお、どの点灯段階からでもスイッチ６を１秒以上長押しすると複数個の発光ダイオード３が消灯する。
【実施例】
【００１２】ケース無しの状態で、長手方向に２列に並べた複数個（４０個、１列２０個）の発光ダイオード３を中間出力で点灯させた時の照度を照度計・欣宝瑞機器社製ＬＸ１０１０Ｂで測定したところ５７００Ｌｕｘあった。これを光透過率１００％とした。【００１３】ケース１は市販されている両端開口の円筒状でほぼ透明なポリカーボネート（ＺＥＨＡＯ社製の商品名ＺＨ−Ａ−５００）を使用し、これをケースＡとして、更に市販されている厚さ０．２ｍｍで光透過率約９４％のポリプロピレンのシート（アスクルスタンダードクリアホルダー）を短冊状に切断したシート１６を、ケース１の発光面９側（発光ダイオードの光線がポリカーボネートを透過する側）の表面をすべて覆うように複数枚重ね合わせ、発光面９とは反対側のケース１の表面すなわち裏面１０側で粘着テープ１７によりケース１に接着固定してケースＢ〜Ｇを作製した。【００１４】なおシート１６の１枚の光透過率は、ケースＡを使用して作製した作業用ライト８を中間出力で点灯させ、発光面９側の表面全てをシート１６（１枚）で覆った時と覆っていない時の照度を照度計・欣宝瑞機器社製ＬＸ１０１０Ｂを使い測定し、その結果得られたシート１６（１枚）で覆った時の照度値４９００Ｌｕｘと覆っていない時の照度値５２００Ｌｕｘとから計算し求めた。すなわち、シート１６（１枚）の光透過率は４９００／５２００≒０．９４２３≒９４％となった。【００１５】また両端開口の円筒状でほぼ透明なポリカーボネート（ＺＥＨＡＯ社製の商品名ＺＨ−Ａ−５００）より光透過率の低いポリカーボネート（ＺＥＨＡＯ社製の商品名ＺＨ−Ａ−５０６）単体を用いてケースＨとした。【００１６】作製したケースＢ〜Ｇと既成のケースＡとケースＨを用いて作業用ライト８を組み立て、複数個の発光ダイオード３を中間出力で点灯させた時の照度を、照度計・欣宝瑞機器社製ＬＸ１０１０Ｂを使い測定し、その時の値をケース無しの時の照度値５７００Ｌｕｘで割った値をそれぞれ各ケースの光透過率とした。その値を表１にまとめた。
【表１】
2012043761.tif 000003
【００１７】残像認識時間の測定と明るさの強弱の比較は以下の様に行った。
・被験者：４名（成人男子）
・残像認識時間の測定：図３を用いて説明する。
窓の無い暗室において被験者１３を椅子１１に座らせ、被験者１３から前方１ｍ離れた  場所に作業用ライト８の発光面９を被験者１３に向け、且つ、被験者１３の目の高さと  ほぼ同じになるようにスタンド１２を用いて作業用ライト８を垂直に固定した後、作業  用ライト８を中間出力で点灯させ、この作業用ライト８を被験者１３に１秒間直視して  もらい消灯後残像が見えている時間（残像認識時間）をケース無しとケースＡ〜Ｈを使  い、それぞれ測定した。
・明るさの強弱の比較：図４を用いて説明する。
同じく暗室において被験者１３を椅子１１に座らせ、机１５の上に置いた書類１４から  上方１ｍ離れた場所に作業用ライト８の発光面９を書類１４に向けた状態でスタンド１  ２を用いて作業用ライト８を固定し、ケース無しとケースＡ〜Ｈを使い、それぞれ作業  用ライト８を中間出力で点灯させた時に書類１４を被験者１３が読んで感じる明るさの  強弱の比較を行った。【００１８】表２に、ケースＡ〜Ｈと残像認識時間との関係を示す。
なお、ここで「無し」とは透過率１００％（ケース無し）の時のデータである。
【表２】
2012043761.tif 000004
【００１９】表３にケースＡ〜Ｈと作業用ライト８を点灯させた時に感じる明るさの強弱との比較を示す。なお、「無し」とは透過率１００％（ケース無し）の時のデータである。
【表３】
2012043761.tif 000005
【００２０】以上の測定結果から、表２よりケースＢすなわち光透過率８５％以下のケースを用いた時に残像が残る時間が１分以内となり、表３よりケースＣすなわち光透過率７５％以上では作業用ライトとしては照度がとても明るい（眩しい）と感じる人が出始め、ケースＦすなわち光透過率４５％以下では作業用ライトとしては照度が暗いと感じる人が出始めることが分かった。これにより個人差があるが、光透過率は５５％〜６５％が適合範囲と思われる。【００２１】よって、作業用ライト８のケース１の光透過率は発光ダイオード３の中間出力状態で５５％〜６５％とし、更に最大出力と最小出力の照度調整で個人差をカバーできる様にした。
【符号の説明】１  ケース
２  プリント基板
３  発光ダイオード
４  持ち手
５  電源供給ケーブル
６  スイッチ
７  駆動回路
８  作業用ライト
９  発光面
１０  裏面
１１  椅子
１２  スタンド
１３  被験者
１４  書類
１５  机
１６  ポリプロピレンのシート
１７  粘着テープ
１８  キャップ
【図１】
2012043761.tif 000006
【図２】
2012043761.tif 000007
【図３】
2012043761.tif 000008
【図４】
2012043761.tif 000009